(57)【特許請求の範囲】
【請求項１】
ネットワークを介してネットワーク上の機器とコンテンツを共有する情報端末であって、
近距離無線通信機能によりインターネットプロトコル通信を行う通信部と、
前記通信部によるインターネットプロトコル通信により、ホームネットワーク上に存在するコンテンツを検索して再生処理するコンテンツ再生部と、
少なくともコンテンツの所在地情報を含むコンテンツ関連情報を取得するコンテンツ関連情報取得部と、
前記コンテンツ関連情報を記憶するコンテンツ関連情報記憶部と、
前記コンテンツ関連情報を前記ホームネットワーク上の他の再生機器に公開するネットワークコンテンツサーバ部と、
前記コンテンツ再生部によるコンテンツの再生処理中に、再生処理の中断要求を受け付けた場合、前記コンテンツ再生部による再生処理を中断させ、且つ、当該コンテンツにおける再生中断位置を示す再生中断位置情報を生成し、前記再生処理に係るコンテンツの前記再生中断位置情報を含むコンテンツ関連情報を、前記ネットワークコンテンツサーバ部により、前記ホームネットワーク上の他の再生機器に公開する制御部と、
他の再生機器からの要求に応じて、当該他の再生機器に対し、前記ホームネットワーク上の他の再生機器に公開された前記コンテンツ関連情報を送信する送信部と、
を具備することを特徴とする情報端末。
【請求項２】
ネットワークを介してネットワーク上の機器とコンテンツを共有する情報端末であって、
近距離無線通信機能によりインターネットプロトコル通信を行う通信部と、
前記通信部によるインターネットプロトコル通信により、ホームネットワーク上に存在するコンテンツを検索して再生処理するコンテンツ再生部と、
少なくともコンテンツの所在地情報を含むコンテンツ関連情報を取得するコンテンツ関連情報取得部と、
前記コンテンツ関連情報を記憶するコンテンツ関連情報記憶部と、
前記コンテンツ関連情報を前記ホームネットワーク上の他の再生機器に公開するネットワークコンテンツサーバ部と、
少なくとも前記コンテンツ再生部によるコンテンツの再生処理の開始及び中断を指示する為のユーザインターフェイス部と、
前記ホームネットワーク上の再生機器を遠隔操作する為のネットワーク再生機器操作部と、
前記ネットワーク再生機器操作部による遠隔操作で、前記ホームネットワーク上の再生機器でコンテンツが再生処理されている最中に、前記ユーザインターフェイス部が再生処理の中断要求を受け付けた場合、前記ネットワーク再生機器操作部により前記再生機器に再生処理の中断要求を送信し、且つ、前記再生処理の中断位置を示す再生中断位置情報を前記再生機器から取得し、前記再生処理に係るコンテンツの前記再生中断位置情報を含むコンテンツ関連情報を、前記ネットワークコンテンツサーバ部により、前記ホームネットワーク上の他の再生機器に公開する制御部と、
他の再生機器からの要求に応じて、当該他の再生機器に対し、前記ホームネットワーク上の他の再生機器に公開された前記コンテンツ関連情報を送信する送信部と、
を具備することを特徴とする情報端末。
【請求項３】
ホームネットワークに備えられたゲートウェイ毎に固有に定められた識別情報であるゲートウェイ識別情報を取得するゲートウェイ情報取得部と、
前記ホームネットワーク上の機器に対して、前記ホームネットワークの外部から前記ゲートウェイを介して接続するための設定情報である外部アクセス設定情報を取得する外部アクセス情報取得部と、
前記再生処理を中断したタイミングで、前記ゲートウェイ情報取得部により前記ゲートウェイ識別情報を取得し、且つ、前記外部アクセス情報取得部により外部アクセス設定情報を取得し、これらの情報に基づいて、再生処理に係るコンテンツの所在地情報に含まれる当該ホームネットワーク上のＩＰアドレス及びポート番号を編集処理して、当該ホームネットワークの外部から前記再生処理に係るコンテンツにアクセスする為の外部アクセス用所在地情報を生成する外部アクセス用所在地情報生成部と、
前記編集処理前の所在地情報であるローカルアクセス用所在地情報と、前記編集処理後の所在地情報である外部アクセス用所在地情報と、を記憶する所在地情報記憶部と、
を含むことを特徴とする請求項１または請求項２に記載の情報端末。
【請求項４】
前記コンテンツ関連情報取得部によりコンテンツ関連情報を取得した際に、該コンテンツ関連情報と、当該取得した際における接続先のゲートウェイのゲートウェイ識別情報と、を関連付けて記憶するゲートウェイ情報記憶部と、
前記コンテンツの再生処理を中断した時点の接続先のホームネットワークが備えるゲートウェイのゲートウェイ識別情報と、前記コンテンツの再生処理を中断した後に前記ゲートウェイ情報取得部により取得したゲートウェイ識別情報と、を比較してそれらのゲートウェイが同一のゲートウェイであるか否かを判断するゲートウェイ比較判断部と、を含み、
前記制御部は、前記ゲートウェイ比較判断部により同一のゲートウェイであると判断された場合には、前記ローカルアクセス用所在地情報を、前記ネットワークコンテンツサーバ部により前記ホームネットワークに公開し、前記ゲートウェイ比較判断部により同一のゲートウェイではないと判断された場合には、前記外部アクセス用所在地情報を前記ネットワークコンテンツサーバ部により前記ホームネットワークに公開することを特徴とする請求項３に記載の情報端末。
【請求項５】
前記コンテンツが保存されているコンテンツサーバの識別情報であるコンテンツサーバ識別情報を取得し、前記コンテンツ関連情報と対応付けて記憶するコンテンツサーバ識別情報記憶部と、
前記ホームネットワークに対して機器検索をブロードキャストした際に、コンテンツサーバから取得したコンテンツサーバ識別情報と、前記コンテンツサーバ識別情報記憶部に記憶されたコンテンツサーバ識別情報と、を比較して、前記コンテンツサーバ識別情報記憶部に記憶されたコンテンツサーバ識別情報に対応するコンテンツサーバが前記ホームネットワーク上に存在しているか否かを判断するコンテンツサーバ比較判断部と、を含み、
前記制御部は、前記コンテンツサーバ比較判断部により、前記コンテンツサーバ識別情報記憶部に記憶されたコンテンツサーバ識別情報に対応するコンテンツサーバが存在すると判断された場合には、前記ローカルアクセス用所在地情報を、前記再生処理に係るコンテンツの所在地情報として前記ホームネットワークに公開し、前記コンテンツサーバ比較判断部により、前記コンテンツサーバ識別情報記憶部に記憶されたコンテンツサーバ識別情報に対応するコンテンツサーバが存在しないと判断された場合には、前記外部アクセス用所在地情報を、前記再生処理に係るコンテンツの所在地情報として前記ホームネットワークに公開することを特徴とする請求項３に記載の情報端末。
【請求項６】
コンテンツ関連情報の中からコンテンツのタイトルを示すタイトル情報を抽出するコンテンツタイトル抽出部と、
前記コンテンツタイトル抽出部により抽出されたタイトル情報のうち、前記再生処理が中断されたコンテンツのタイトル情報の文字列を、再生処理が中断された旨を示す文字列に変更するコンテンツタイトル加工部と、
を含むことを特徴とする請求項１に記載の情報端末。
【請求項７】
コンテンツ関連情報の中からコンテンツが作成された作成日時を示す作成日時情報を抽出するコンテンツ作成日時抽出部と、
前記コンテンツ作成日時抽出部により抽出された作成日時情報のうち、前記再生処理が中断されたコンテンツの作成日時情報を、再生処理を中断した日時に変更するコンテンツ作成日時加工部と、
を含むことを特徴とする請求項１に記載の情報端末。
【発明の詳細な説明】
【技術分野】
【０００１】
本発明は、ネットワークを介してネットワーク上の機器とコンテンツを共有する情報端末に関する。
【背景技術】
【０００２】
近年、画像信号や音声信号をデジタルデータとして取り扱うことが一般的になっている。すなわち、音楽ＣＤ（Ｃｏｍｐａｃｔ  Ｄｉｓｃ）や映像コンテンツが記録されたＤＶＤ（Ｄｉｇｉｔａｌ  Ｖｅｒｓａｔｉｌｅ  Ｄｉｓｋ）の再生装置が一般家庭に広く普及している。
【０００３】
更に、従来のビデオテープを用いたレコーダに替えて、ＤＶＤやＨＤＤ（Ｈａｒｄ  Ｄｉｓｋ  Ｄｒｉｖｅ）に映像コンテンツを記録可能なレコーダの普及も進んでいる。また、パーソナルコンピュータ（以降、ＰＣと称する）を用いて映像コンテンツ・音声コンテンツを再生したり、またそれらコンテンツデータを、インターネットを通じてダウンロードすることも一般的に行われている。
【０００４】
ところで、家庭内においても、例えばＰＣ（Ｐｅｒｓｏｎａｌ  Ｃｏｍｐｕｔｅｒ）や周辺機器などを接続してＬＡＮ（Ｌｏｃａｌ  Ａｒｅａ  Ｎｅｔｗｏｒｋ）システムを構築し、ファイルやプリンタなどを共有することも一般的になっている。そして最近では、映像コンテンツ・音声コンテンツの記録機器・再生機器を、ＬＡＮなどの家庭内のネットワークに組み込んで使用する場面が想定されている。
【０００５】
例えば、ＨＤＤなどの比較的大容量の記憶装置に、映像コンテンツ・音声コンテンツを一括記憶させておき、これらのコンテンツを、一般家庭内の各部屋に設置された再生機器に、ネットワークを通じて配信する技術（例えば配信システム）が提案されている。
【０００６】
ところで、このような家庭内ネットワークを利用したコンテンツの配信システムの実際の運用においては、例えば、或る部屋の再生機器でコンテンツを視聴していたユーザが、来客などの事情により他の部屋に移動しなければならないといった非常に高い確率で起こり得る事態の発生を想定しなくてはならない。
【０００７】
このような事態が発生した場合、ユーザは当初コンテンツを視聴していた部屋に設置された再生機器の再生動作を停止させ、且つ、移動後にその部屋に設置された機器を起動させる。この際に、移動前の部屋で視聴していたコンテンツを、移動後の部屋で過不足なく継続して視聴する為には、コンテンツ名及びコンテンツにおける視聴済みの最終位置等を、ユーザが例えばメモを取るなどして記録し、新たに再生を実行させるプレーヤに対してそれらの情報に基づいた設定を行う必要がある。つまり、上述したような事態が生じる毎にユーザは煩雑な処理を行わなければならない。
【０００８】
このような事情に鑑みて、例えば特許文献１においては、次のような技術が提案されている。すなわち、著作権保護の有無を示す属性情報を有するコンテンツ、及びこのコンテンツの一覧を示したリストを記憶する記憶手段と、他の通信装置との間で互いの装置を識別する認証鍵を取得し合って前記他の通信装置を認証する認証鍵交換手段と、前記リストの中から著作権保護有のコンテンツが選択された場合、前記認証鍵交換手段による新たな認証の受け付けを中止し、選択された前記著作権保護有のコンテンツを前記認証鍵を用いて暗号化して前記認証鍵交換手段により認証した前記他の通信装置に前記ネットワーク経由で移動させる保護コンテンツ移動手段と、前記保護コンテンツ移動手段によるコンテンツの移動が行われている最中には、前記リストの一覧の中から著作権保護有のコンテンツを削除するコンテンツリスト管理手段と、を通信装置に具備させる。
【０００９】
このような構成の通信装置によれば、同一のコンテンツについて、或る機器での再生中断地点から、他の機器において継続的に再生を再開させることが可能となる。
【先行技術文献】
【特許文献】
【００１０】
【特許文献１】特開２００６−３０１７７７号公報
【発明の概要】
【発明が解決しようとする課題】
【００１１】
ところで、特許文献１に開示されている技術では、同一ホームネットワーク上における２台のコンテンツ再生機器（再生機器１、再生機器２）において、視聴に係る再生機器を、再生機器１から再生機器２へ継続的に切り替える場合に、次のような処理を行う。
【００１２】
すなわち、携帯電話の近距離無線通信機能を利用して、現在視聴中のコンテンツのコンテンツ情報（例えばＵＲＬや再生位置に係る情報など）を再生機器１から取得し、且つ、該取得したコンテンツ情報を再生機器２に通知する。この処理により、再生機器１で視聴を中断したコンテンツを再生機器２において継続的に再生を再開させる。
【００１３】
この場合、２台のコンテンツ再生機器及び１台の携帯電話の計３台について、同種の近距離無線機能及び仕様に従ったソフトウェアプログラムが実装されていることが前提条件となる。つまり、特許文献１に開示されている技術は、機器間の相互接続の為の前提条件を満たさない場面においては適用不可能な技術である。
【００１４】
現在、サーバ装置及びクライアント装置に特殊な機能を実装させず、標準規格のみに基づいて、上述したような再生機器の切り替えを実現する技術が望まれている。
【００１５】
本発明は、前記の事情に鑑みて為されたものであり、ＤＬＮＡ（Ｄｉｇｉｔａｌ  Ｌｉｖｉｎｇ  Ｎｅｔｗｏｒｋ  Ａｌｌｉａｎｃｅ  ｇｕｉｄａｎｃｅ）で標準化された通信仕様のみを使用して、再生機器を切り替えてのコンテンツの継続的再生を容易に行うことが可能な情報端末を提供することを目的とする。
【課題を解決するための手段】
【００１６】
前記の目的を達成するために、本発明の第１の態様による情報端末は、
ネットワークを介してネットワーク上の機器とコンテンツを共有する情報端末であって、
近距離無線通信機能によりインターネットプロトコル通信を行う通信部と、
前記通信部によるインターネットプロトコル通信により、ホームネットワーク上に存在するコンテンツを検索して再生処理するコンテンツ再生部と、
少なくともコンテンツの所在地情報を含むコンテンツ関連情報を取得するコンテンツ関連情報取得部と、
前記コンテンツ関連情報を記憶するコンテンツ関連情報記憶部と、
前記コンテンツ関連情報を前記ホームネットワーク上に公開するネットワークコンテンツサーバ部と、
前記コンテンツ再生部によるコンテンツの再生処理中に、再生処理の中断要求を受け付けた場合、前記コンテンツ再生部による再生処理を中断させ、且つ、前記再生処理に係るコンテンツのコンテンツ関連情報を、前記ネットワークコンテンツサーバ部により、前記ホームネットワークに公開する制御部と、
を具備することを特徴とする。
【００１７】
前記の目的を達成するために、本発明の第２の態様による情報端末は、
ネットワークを介してネットワーク上の機器とコンテンツを共有する情報端末であって、
近距離無線通信機能によりインターネットプロトコル通信を行う通信部と、
前記通信部によるインターネットプロトコル通信により、ホームネットワーク上に存在するコンテンツを検索して再生処理するコンテンツ再生部と、
少なくともコンテンツの所在地情報を含むコンテンツ関連情報を取得するコンテンツ関連情報取得部と、
前記コンテンツ関連情報を記憶するコンテンツ関連情報記憶部と、
前記コンテンツ関連情報を前記ホームネットワーク上に公開するネットワークコンテンツサーバ部と、
少なくとも前記コンテンツ再生部によるコンテンツの再生処理の開始及び中断を指示する為のユーザインターフェイス部と、
前記ホームネットワーク上のコンテンツ再生機器を遠隔操作する為のネットワーク再生機器操作部と、
前記ネットワーク再生機器操作部による遠隔操作で、前記ホームネットワーク上の再生機器でコンテンツが再生処理されている最中に、前記ユーザインターフェイス部が再生処理の中断要求を受け付けた場合、前記ネットワーク再生機器操作部により前記再生機器に再生処理の中断要求を送信し、且つ、前記再生処理に係るコンテンツのコンテンツ関連情報を、前記ネットワークコンテンツサーバ部により、前記ホームネットワークに公開する制御部と、
を具備することを特徴とする。
【発明の効果】
【００１８】
本発明によれば、ＤＬＮＡで標準化された通信仕様のみを使用して、再生機器を切り替えてのコンテンツの継続的再生を容易に行うことが可能な情報端末を提供することができる。
【図面の簡単な説明】
【００１９】
【図１】本発明の一実施形態に係る情報端末の一構成例を示す図。
【図２】本発明の一実施形態に係る情報端末を適用したネットワーク構成の一例を示す図。
【図３】ホームネットワーク上におけるサーバ装置に保存されているコンテンツを、ユーザが情報端末で再生して視聴している最中に、パーソナルコンピュータでの再生に切り替えて継続的に再生を再開する為の処理のシーケンスチャートを示す図。
【図４】ホームネットワーク上におけるサーバ装置に保存されているコンテンツを、ユーザがテレビジョンで再生して視聴している最中に、パーソナルコンピュータでの再生に切り替えて継続的に再生を再開する為の処理のシーケンスチャートを示す図。
【図５】ホームネットワーク上におけるサーバ装置に保存されているコンテンツを、ユーザがテレビジョンで再生して視聴している最中に、パーソナルコンピュータでの再生に切り替えて継続的に再生を再開する為の処理のシーケンスチャートを示す図。
【図６】ホームネットワーク上におけるサーバ装置に保存されているコンテンツを、ユーザがホームネットワーク及びインターネットを介してホームネットワークに接続された情報端末で再生して視聴している最中に、再生機器テレビジョンでの再生に切り替えて継続的に視聴を再開する為の処理のシーケンスチャートを示す図。
【発明を実施するための形態】
【００２０】
以下、図面を参照して本発明の一実施形態を説明する。
【００２１】
図1は、本一実施形態に係る情報端末（例えば携帯端末）の一構成例を示す図である。
【００２２】
情報端末１は、メイン制御部１０１と、近距離無線通信装置１０２と、ＫＥＹ入力装置１０３と、ディスプレイ１０４と、スピーカ１０５と、アプリケーション制御部１０６と、近距離無線通信制御部１０７と、ＤＬＮＡ制御部１１１と、コンテンツ記憶装置１１７と、コンテンツ再生制御部１１８と、を具備する。
【００２３】
前記メイン制御部１０１は、当該情報端末１全体を統括的に制御する。
【００２４】
前記近距離無線通信装置１０２は、当該情報端末１周囲に存在する同種の近距離無線通信装置を具備する機器と通信を行う為の通信装置である。この近距離無線通信装置１０２としては、例えば無線ＬＡＮ装置を挙げることができる。
【００２５】
前記ＫＥＹ入力装置１０３は、ハードウェア又はソフトウェアにより実現されたユーザインターフェイス手段である。
【００２６】
前記ディスプレイ１０４は、文字や図などの各種情報を表示する装置である。前記スピーカ１０５は、再生処理された音声を発する装置である。
【００２７】
前記アプリケーション制御部１０６は、ＫＥＹ入力装置１０３、ディスプレイ１０４、及びスピーカ１０５について、データの入出力制御及び管理を行う制御部である。
【００２８】
前記近距離無線通信制御部１０７は、近距離無線通信装置１０２を介して参加するＩＰ通信をベースとしたローカルネットワーク情報を管理する制御部である。この近距離無線通信制御部１０７は、ローカルネットワークと外部インターネットとの間で通信を仲介するゲートウェイの情報を取得するためのゲートウェイ情報取得部１０８と、ゲートウェイ情報取得部１０８により取得した情報を記憶するためのゲートウェイ情報記憶装置１０９と、外部インターネットからローカルネットワーク内の機器にネットワークアクセスするための情報をゲートウェイに設定するためのポートマッピング制御部１１０と、を有する。
【００２９】
前記ＤＬＮＡ制御部１１１は、ローカルネットワーク上で静止画、動画、音楽などのコンテンツを共有するためのＤＬＮＡで規格されたサービスを実現するためのソフトウェアである。このＤＬＮＡ制御部１１１は、ＤＭＳ制御部１１２と、ＤＭＰ制御部１１５と、ＤＭＣ制御部１１６と、を有する。
【００３０】
前記ＤＭＳ制御部１１２は、ネットワークに対してコンテンツ関連情報（詳細は後述）を公開するコンテンツサーバ機能（ＤＭＳ：Ｄｉｇｉｔａｌ  Ｍｅｄｉａ  Ｓｅｒｖｅｒ）を有する。前記ＤＭＳ制御部１１２によって、ネットワークに対してコンテンツ関連情報を公開することで、仮想的に当該情報端末ＭＢ１が保持するコンテンツとして当該コンテンツをネットワークに対して公開する。
【００３１】
具体的には、このＤＭＳ制御部１１２は、ネットワークへ公開するコンテンツ関連情報を各種条件に基づいて編集するコンテンツ情報制御部１１３と、コンテンツ関連情報などを記憶するコンテンツ情報記憶装置１１４と、を備える。
【００３２】
前記ＤＭＰ制御部１１５は、ネットワーク上のコンテンツを取得し再生処理するコンテンツプレーヤー機能（Ｄｉｇｉｔａｌ  Ｍｅｄｉａ  Ｐｌａｙｅｒ）を有する。
【００３３】
前記ＤＭＣ制御部１１６は、ネットワーク上の再生機器に対してコンテンツの再生を指示するコントローラ機能（ＤＭＣ：Ｄｉｇｉｔａｌ  Ｍｅｄｉａ  Ｃｏｎｔｒｏｌｌｅｒ）を有する。
【００３４】
前記コンテンツ記憶装置１１７は、コンテンツを記憶する記憶装置である。
【００３５】
前記コンテンツ再生制御部１１８は、コンテンツ記憶装置１１７やＤＭＰ制御部１１５を通じてネットワークより取得したコンテンツをディスプレイやスピーカで再生するためのデジタルコンテンツのデコード等の処理を実行する。
【００３６】
図２は、本一実施形態に係る情報端末を適用したネットワーク構成の一例を示す図である。
【００３７】
図２に示す例では、ホームネットワークＨＮ１と、ホームネットワークＨＮ２と、がインターネットＩＮを介して接続されている。なお、当然ながら、ホームネットワークＨＮ１とホームネットワークＨＮ２とが互いに離間して位置している場合であっても、インターネットＩＮを介することで通信可能となる。
【００３８】
前記ホームネットワークＨＮ１は、ゲートウェイＧＷ１と、テレビジョンＴＶ１と、パーソナルコンピュータＰＣ１と、サーバ装置ＳＶ１と、が接続されて形成されている。
【００３９】
前記ホームネットワークＨＮ２は、ゲートウェイＧＷ２と、テレビジョンＴＶ２と、パーソナルコンピュータＰＣ２と、が接続されて形成されている。
【００４０】
前記ゲートウェイＧＷ１，ＧＷ２は、インターネットＩＮと各々のゲートウェイに接続された機器との間で行われる通信処理を仲介する。
【００４１】
前記テレビジョンＴＶ１，ＴＶ２は、ネットワーク上におけるＤＭＣからの指示によりＤＭＳからコンテンツを取得して再生を行うＤＭＰとして動作する。
【００４２】
なお、ユーザは、テレビジョンＴＶ１，ＴＶ２を、それらが備えるＵＩ（Ｕｓｅｒ  Ｉｎｔｅｒｆａｃｅ）或いはリモートコントローラなどを利用して操作し、直接サーバ装置からコンテンツを取得して再生するＤＭＰとして動作させても勿論よい。
【００４３】
前記パーソナルコンピュータＰＣ１，ＰＣ２は、ユーザによりＵＩ或いはリモートコントローラを利用して操作され、直接サーバ装置からコンテンツを取得し再生するＤＭＰとして動作する。
【００４４】
前記サーバ装置ＳＶ１は、当該装置内に保存されているコンテンツをネットワークに対して公開するコンテンツサーバ(ＤＭＳ)として動作する。
【００４５】
以上説明した構成のネットワークに対して、情報端末ＭＢ１が例えば無線ＬＡＮなどの近距離無線通信機能により前記ゲートウェイＧＷ１，ＧＷ２に接続されることで、情報端末ＭＢ１はホームネットワークＨＮ１，ＨＮ２に参加することができる。この場合、情報端末ＭＢ１は、接続先のホームネットワークに対して近距離無線通信を行うことが可能な範囲内に位置しておればよい。
【００４６】
前記情報端末ＭＢ１は、ユーザによるＵＩの操作に基づいて、例えばネットワーク上におけるＤＭＰを遠隔操作して、ネットワーク上におけるＤＭＳに保存されているコンテンツを再生指示するＤＭＣとして動作する。
【００４７】
なお、ユーザは、前記情報端末ＭＢ１を、直接サーバ装置からコンテンツを取得して再生するＤＭＰとして動作させてもよい。また、ユーザは、情報端末ＭＢ１自身が保存しているコンテンツをネットワークに対して公開するＤＭＳとして情報端末ＭＢ１を動作させてもよい。
【００４８】
図３乃至図６は、コンテンツを２台の再生機器間で継続的に再生させる場合の、メイン制御部１０１による処理のシーケンスチャートを示す図である。なお、各図に示すシーケンスチャートから分かる通り、切り替え元の再生機器と切り替え先の再生機器と切り替え操作に係る情報端末とのそれぞれが担う機能的な位置関係により、異なる処理を必要とする。
【００４９】
なお、図３乃至図６において、二重線で描かれたボックスで示す処理は、ユーザによる操作に対して情報端末ＭＢ１が行う処理である。一方、単線で描かれたボックスで示す処理は、各々の機器内部における処理である。
【００５０】
《ローカルネットワーク内における再生機器の切り替え処理例（１）》
図３は、ホームネットワークＨＮ１上におけるサーバ装置ＳＶ１に保存されているコンテンツを、ユーザが情報端末ＭＢ１で再生して視聴している最中に、パーソナルコンピュータＰＣ１での再生に切り替えて継続的に再生を再開する為の処理のシーケンスチャートを示す図である。換言すれば、図３は、ローカルネットワーク内における再生機器の切り替え処理のシーケンスチャートを示す図である。
【００５１】
なお、図３に示すシーケンスチャートの処理を実行する為の前提の処理として、予め情報端末ＭＢ１を、近距離無線通信装置１０２及び近距離無線通信制御部１０７によりゲートウェイＧＷ１に接続してホームネットワークＨＮ１に参加させることにより、ホームネットワークＨＮ１上に存在するサーバ装置ＳＶ１、テレビジョンＴＶ１、及びパーソナルコンピュータＰＣ１との通信を可能な状態に設定する。
【００５２】
情報端末ＭＢ１でコンテンツを再生開始する際に、ユーザは、情報端末ＭＢ１のＫＥＹ入力装置１０３を操作して、ＤＬＮＡ制御部１１１によりＤＬＮＡで規定された手順に従いサーバ装置ＳＶ１が公開しているコンテンツリスト（後述するコンテンツ関連情報を含む情報；以下同様）の取得要求をサーバ装置ＳＶ１に対して発行し（ステップＳ１ａ）、該取得要求に応じてサーバ装置ＳＶ１はコンテンツリストを情報端末ＭＢ１に送信する（ステップＳ１ｂ）。
【００５３】
ユーザは、情報端末ＭＢ１のＫＥＹ入力装置１０３を操作して、コンテンツリストにリストアップされているコンテンツの中から、視聴したい所望のコンテンツ（継続的再生処理対象のコンテンツ）を選択する（ステップＳ２）。
【００５４】
情報端末ＭＢ１は、前記ステップＳ２においてユーザにより選択されたコンテンツを、サーバ装置ＳＶ１からファイルダウンロードまたはストリーミングにより取得する（ステップＳ３）。
【００５５】
この際に、情報端末ＭＢ１は、ステップＳ１においてユーザにより選択されたコンテンツのアドレス情報（例えばサーバ装置ＳＶ１上のＵＲＬなど）、タイトル情報、及び作成日情報などのコンテンツ関連情報（上述したようにコンテンツリストと共に取得）を、アプリケーション制御部１０６に記憶させる（ステップＳ４）。
【００５６】
そして、情報端末ＭＢ１は、ＤＭＰ制御部１１５及びコンテンツ再生制御部１１８により、前記取得したコンテンツを再生処理し、ディスプレイ１０４に映像を、スピーカ１０５に音声を出力する（ステップＳ５）。
【００５７】
前記ステップＳ３における再生処理開始の後、コンテンツの再生中に、ユーザにより再生機器を情報端末ＭＢ１からパーソナルコンピュータＰＣ１に切り替える操作が行われた（ステップＳ６）場合には、情報端末ＭＢ１は以下の処理を実行する。
【００５８】
まず、情報端末ＭＢ１は、アプリケーション制御部１０６及びコンテンツ再生制御部１１８により、コンテンツの現時点における再生位置を示す再生位置情報を取得する。具体的には、再生位置情報としては、例えば再生開始時点から経過した時間や、コンテンツファイルの先頭から再生位置までのデータサイズなどを挙げることができる。
【００５９】
ここで、再生位置情報を取得する際には、コンテンツの再生を一時停止させる（ステップＳ７）。しかしながら、コンテンツの再生を一時停止させずとも、再生を継続しつつ或るポイントでの再生位置情報を取得するとしても勿論よい。
【００６０】
そして、情報端末装置ＭＢ１は、コンテンツ情報制御部１１３により、再生位置情報をコンテンツ関連情報における一つのデータとしてコンテンツ情報記憶装置１１４に登録する（ステップＳ８）。
【００６１】
具体的には、再生位置情報を、当該コンテンツのチャプタ情報の一つとして追加登録したり、唯一に定まるレジューム位置として追加登録するなどの方法を挙げることができる。
【００６２】
なお、コンテンツ情報制御部１１３により、再生処理を中断した旨を明示するようにコンテンツ関連情報を編集しても勿論よい（ステップＳ９）。例えば、コンテンツ関連情報にタイトル情報が含まれている場合には、タイトル情報を“オリジナルタイトル（中断）”などのように変更したり、コンテンツ関連情報に作成日情報が含まれている場合には、作成日情報を中断した日時に変更するなどの編集処理を挙げることができる。
【００６３】
そして、情報端末ＭＢ１は、コンテンツ情報制御部１１３により編集されたコンテンツ関連情報をコンテンツ情報記憶装置１１４に登録する（ステップＳ１０）。
【００６４】
このステップＳ１０において登録するコンテンツ関連情報に含まれるコンテンツのアドレス情報は、実際にそのコンテンツが存在している場所（ネットワーク上におけるサーバ装置ＳＶ１上のＵＲＬ）である。
【００６５】
そして、情報端末ＭＢ１は、ＤＭＳ制御部１１２によりホームネットワークに対するコンテンツサーバ機能を起動し（ステップＳ１１）、コンテンツ情報記憶装置１１４に登録されているコンテンツ関連情報をネットワークへ公開する（ステップＳ１２）。
【００６６】
なお、既にコンテンツサーバ機能が起動され、実際にコンテンツ記憶装置１１７に保存されているコンテンツを公開している場合には、コンテンツが新たに追加された旨をネットワークに対して通知する。
【００６７】
そして、情報端末ＭＢ１は、自動的またはユーザアクションにより、コンテンツ再生制御部１１８を介して当該情報端末ＭＢ１上でのコンテンツの再生処理を終了する（ステップＳ１３）。
【００６８】
この後、パーソナルコンピュータＰＣ１においては、情報端末ＭＢ１にて再生処理を中断されたコンテンツの再生を再開する操作がユーザにより行われる。
【００６９】
すなわち、まずユーザはパーソナルコンピュータＰＣ１のアプリケーションを用いて情報端末ＭＢ１が公開しているコンテンツリストの取得要求を情報端末ＭＢ１に発行する（ステップＳ１４ａ）。この取得要求に応じて、情報端末ＭＢ１は、パーソナルコンピュータＰＣ１にコンテンツリストを送信する（ステップＳ１４ｂ）。
【００７０】
ここで、ユーザは、コンテンツリストにリストアップされているコンテンツのうち、情報端末ＭＢ１にて再生処理が中断されたコンテンツを選択する（ステップＳ１５）。そして、情報端末ＭＢ１は、このステップＳ１５において選択されたコンテンツに係るコンテンツ関連情報を参照して、当該コンテンツの取得要求をサーバ装置ＳＶ１に発行する（ステップＳ１６ａ）。この取得要求に応じて、サーバ装置ＳＶ１は当該コンテンツをダウンロード或いはストリーミングなどによりパーソナルコンピュータＰＣ１に配信する（ステップＳ１６ｂ）。
【００７１】
なお、コンテンツ関連情報に含まれるアドレス情報としては、上述した処理により実際のアドレスのＵＲＬ（ネットワーク上におけるサーバ装置ＳＶ１上のＵＲＬ）が記述されている。
【００７２】
前記ステップＳ１６においてコンテンツを取得した後、ユーザは、コンテンツ関連情報に含まれる再生位置情報を参照して、当該コンテンツを情報端末ＭＢ１での再生処理中断位置に頭出し（ステップＳ１７）、その位置から再生処理を開始する（ステップＳ１８）。
【００７３】
《ローカルネットワーク内における再生機器の切り替え処理例（２）》
図４は、ホームネットワークＨＮ１上におけるサーバ装置ＳＶ１に保存されているコンテンツを、ユーザがテレビジョンＴＶ１で再生して視聴している最中に、パーソナルコンピュータＰＣ１での再生に切り替えて継続的に再生を再開する為の処理のシーケンスチャートを示す図である。換言すれば、図４は、ローカルネットワーク内における再生機器の切り替え処理のシーケンスチャートを示す図である。
【００７４】
なお、図４に示すシーケンスチャートの処理を実行する為の前提の処理として、予め情報端末ＭＢ１を、近距離無線通信装置１０２及び近距離無線通信制御部１０７によりゲートウェイＧＷ１に接続してホームネットワークＨＮ１に参加させることにより、ホームネットワークＨＮ1上に存在するサーバ装置ＳＶ１、テレビジョンＴＶ１、及びパーソナルコンピュータＰＣ１との通信を可能な状態に設定する。
【００７５】
まず、ユーザは情報端末ＭＢ１を操作することで、ＤＬＮＡ制御部１１１によりＤＬＮＡで規定された手順に従いコンテンツサーバ（サーバ装置ＳＶ１）が公開しているコンテンツリストの取得要求をサーバ装置ＳＶ１に発行する（ステップＳ２１ａ）。これに応じて、サーバ装置ＳＶ１は、コンテンツリストを情報端末ＭＢ１に送信する（ステップＳ２１ｂ）。
【００７６】
ユーザは、ステップＳ２１において取得したコンテンツリストにリストアップされているコンテンツの中から、視聴したい所望のコンテンツ（継続的再生処理対象のコンテンツ）を選択し、且つ、ネットワーク上における再生機器の中からコンテンツの再生処理に利用する再生機器（本例ではテレビジョンＴＶ１）も選択する（ステップＳ２２）。
【００７７】
ここで、情報端末ＭＢ１は、ユーザにより選択されたコンテンツの実際のアドレス（ネットワーク上におけるコンテンツサーバであるサーバ装置ＳＶ１上のＵＲＬなど）や、タイトル情報、作成日情報などのコンテンツ関連情報、および選択された再生機器（本例ではテレビジョンＴＶ１）についての情報をアプリケーション制御部１０６に記憶させる。
【００７８】
そして、情報端末ＭＢ１は、ユーザにより選択された再生機器であるテレビジョンＴＶ１に対して、ユーザにより選択されたコンテンツのコンテンツ関連情報及び再生処理指示を送信する（ステップＳ２３）。テレビジョンＴＶ１は、これを受信し、コンテンツ関連情報に含まれるアドレス情報を参照して、ユーザにより選択されたコンテンツの取得要求をサーバ装置ＳＶ１に発行する（ステップＳ２４ａ）。これに応じて、サーバ装置ＳＶ１は、取得要求されたコンテンツを、ダウンロード或いはストリーミングによりテレビジョンＴＶ１に配信する（ステップＳ２４ｂ）。そして、テレビジョンＴＶ１は、取得したコンテンツの再生処理を開始する（ステップＳ２５）。
【００７９】
前記ステップＳ２５における再生処理開始の後、コンテンツの再生中に、ユーザにより再生機器をテレビジョンＴＶ１からパーソナルコンピュータＰＣ１に切り替える操作が行われた（ステップＳ２６）場合には、情報端末ＭＢ１は以下の処理を実行する。
【００８０】
まず、情報端末ＭＢ１は、近距離無線通信装置１０２により、テレビジョンＴＶ１に対してコンテンツの再生処理の一時停止指示を発行する（ステップＳ２７）。これを受信したテレビジョンＴＶ１は、コンテンツの再生処理を一時停止させる（ステップＳ２８）。
【００８１】
続いて、情報端末ＭＢ１は、前記一時停止時点における停止位置を示す再生位置情報の取得要求をテレビジョンＴＶ１に発行する（ステップＳ２９ａ）。これに応じて、テレビジョンＴＶ１は、再生位置情報を情報端末ＭＢ１に送信する（ステップＳ２９ｂ）。具体的には、再生位置情報としては、例えば再生開始時点から停止時点までに経過した時間や、コンテンツファイルの先頭から停止位置までのデータサイズなどを挙げることができる。
【００８２】
なお、コンテンツの再生を一時停止させずとも、再生を継続しつつ或るポイントでの再生位置情報を取得するとしても勿論よい。
【００８３】
そして、情報端末装置ＭＢ１は、コンテンツ情報制御部１１３により、再生位置情報をコンテンツ関連情報における一つのデータとしてコンテンツ情報記憶装置１１４に登録する（ステップＳ３０）。
【００８４】
具体的には、再生位置情報を、当該コンテンツのチャプタ情報の一つとして追加登録したり、唯一に定まるレジューム位置として追加登録するなどの方法を挙げることができる。
【００８５】
なお、情報端末ＭＢ１は、コンテンツ情報制御部１１３により、再生処理を中断した旨を明示するようにコンテンツ関連情報を編集しても勿論よい（ステップＳ３１）。例えば、コンテンツ関連情報にタイトル情報が含まれている場合には、タイトル情報を“オリジナルタイトル（中断）”などのように変更したり、コンテンツ関連情報に作成日情報が含まれている場合には、作成日情報を中断した日時に変更するなどの編集処理を挙げることができる。
【００８６】
そして、情報端末ＭＢ１は、コンテンツ情報制御部１１３により編集されたコンテンツ関連情報をコンテンツ情報記憶装置１１４に登録する（ステップＳ３２）。このステップＳ３２において登録するコンテンツ関連情報に含まれるコンテンツのアドレス情報は、実際にそのコンテンツが存在している場所（ネットワーク上におけるサーバ装置ＳＶ１上のＵＲＬ）である。
【００８７】
そして、情報端末ＭＢ１は、ＤＭＳ制御部１１２によりホームネットワークに対するコンテンツサーバ機能を起動し（ステップＳ３３）、コンテンツ情報記憶装置１１４に登録されているコンテンツ関連情報をネットワークへ公開する（ステップＳ３４）。
【００８８】
なお、既にコンテンツサーバ機能が起動され、実際にコンテンツ記憶装置１１７に保存されているコンテンツを公開している場合には、コンテンツが新たに追加された旨をネットワークに対して通知する。
【００８９】
そして、情報端末ＭＢ１は、近距離無線通信装置１０２により、テレビジョンＴＶ１に対してコンテンツの再生処理の停止指示を発行する（ステップＳ３５）。これを受信したテレビジョンＴＶ１は、コンテンツの再生処理を停止させる（ステップＳ３６）。
【００９０】
この後、パーソナルコンピュータＰＣ１においては、テレビジョンＴＶ１にて再生処理を中断されたコンテンツの再生を再開する操作がユーザにより行われる。
【００９１】
すなわち、まずユーザはパーソナルコンピュータＰＣ１のアプリケーションを用いて、情報端末ＭＢ１が公開しているコンテンツ関連情報を含むコンテンツリストの取得要求を情報端末ＭＢ１に発行する（ステップＳ３７ａ）。これに応じて、情報端末ＭＢ１は、コンテンツリストをパーソナルコンピュータＰＣ１に送信する（ステップＳ３７ｂ）。
【００９２】
ここで、ユーザは、コンテンツリストにリストアップされているコンテンツのうち、テレビジョンＴＶ１にて再生処理が中断されたコンテンツを選択する（ステップＳ３８）。そして、ユーザは、このステップＳ３８において選択したコンテンツについてのコンテンツ関連情報（ステップＳ３４においてネットワークへ公開）を参照して、当該コンテンツの取得要求をサーバ装置ＳＶ１へ発行する（ステップＳ３９ａ）。これに応じて、サーバ装置ＳＶ１は、取得要求に係るコンテンツを、ダウンロード或いはストリーミングなどによりパーソナルコンピュータＰＣ１に配信する（ステップＳ３９ｂ）。
【００９３】
なお、コンテンツ関連情報に含まれるアドレス情報としては、上述した処理により実際のコンテンツサーバ（サーバ装置ＳＶ１）のＵＲＬが記述されている。
【００９４】
前記ステップＳ３９ｂにおいてコンテンツを取得した後、ユーザは、コンテンツ関連情報に含まれる再生位置情報を参照して、当該コンテンツをテレビジョンＴＶ１での再生処理中断位置に頭出し（ステップＳ４０）、その位置から再生処理を開始する（ステップＳ４１）。
【００９５】
なお、本例においては、情報端末ＭＢ１からテレビジョンＴＶ１に対して再生処理指示を発行する（ステップＳ２３）としているが、テレビジョンＴＶ１のＵＩ或いはリモートコントローラによる直接操作やネットワーク上における他の装置からテレビジョンＴＶ１に再生処理指示を発行してもよい。
【００９６】
この場合、情報端末ＭＢ１には、テレビジョンＴＶ１に係る情報及び再生処理に係るコンテンツのコンテンツ関連情報は記憶されていない。従って、ユーザは、情報端末ＭＢ１を操作して、コンテンツの再生機器（本例ではテレビジョンＴＶ１）を特定し、且つ、現在再生処理中のコンテンツ関連情報の取得を要求する信号を再生機器（テレビジョンＴＶ１）に対して発行する必要がある。換言すれば、ステップＳ２７乃至ステップＳ３５における処理で情報端末ＭＢ１が要する情報のうち、情報端末ＭＢ１が保持していない情報については、ユーザが情報端末ＭＢ１を操作することで取得しなければならない。
【００９７】
《ローカルネットワーク外における再生機器の切り替え処理例（１）》
図５は、ホームネットワークＨＮ１上におけるサーバ装置ＳＶ１に保存されているコンテンツを、ユーザがテレビジョンＴＶ１で再生して視聴している最中に、パーソナルコンピュータＰＣ２での再生に切り替えて継続的に再生を再開する為の処理のシーケンスチャートを示す図である。換言すれば、図５は、ローカルネットワーク外における再生機器の切り替え処理のシーケンスチャートを示す図である。
【００９８】
なお、図５に示すシーケンスチャートの処理を実行する為の前提の処理として、予め情報端末ＭＢ１を、近距離無線通信装置１０２及び近距離無線通信制御部１０７によりゲートウェイＧＷ１に接続してホームネットワークＨＮ１に参加させることにより、ホームネットワークＨＮ１上に存在するゲートウェイＧＷ１、サーバ装置ＳＶ１、及びテレビジョンＴＶ１との通信を可能な状態に設定する。
【００９９】
まず、ユーザは情報端末ＭＢ１を操作することで、ＤＬＮＡ制御部１１１によりＤＬＮＡで規定された手順に従い、コンテンツサーバ（サーバ装置ＳＶ１）が公開しているコンテンツリストの取得要求をサーバ装置ＳＶ１に発行する（ステップＳ５１ａ）。これに応じて、サーバ装置ＳＶ１は、コンテンツリストを情報端末ＭＢ１に送信する（ステップＳ５１ｂ）。なお、情報端末ＭＢ１は、前記ステップＳ５１ｂにおいて取得したコンテンツリストをコンテンツ情報記憶装置１１４に登録する。
【０１００】
続いて、ユーザは前記ステップＳ５１ｂにおいて取得したコンテンツリストにリストアップされているコンテンツの中から、視聴したい所望のコンテンツ（継続的再生処理対象のコンテンツ）を選択する（ステップＳ５２）。このとき、ユーザはホームネットワークＨＮ１上における再生機器からコンテンツの再生処理に利用する再生機器（本例ではテレビジョンＴＶ１）も選択する。
【０１０１】
ここで、情報端末ＭＢ１は、ユーザにより選択されたコンテンツの実際のアドレス（ネットワーク上におけるコンテンツサーバであるサーバ装置ＳＶ１上のＵＲＬなど）や、タイトル情報、作成日情報などのコンテンツ関連情報、および選択された再生機器（本例ではテレビジョンＴＶ１）についての情報をアプリケーション制御部１０６に記憶させる。
【０１０２】
そして、情報端末ＭＢ１は、ユーザにより選択された再生機器であるテレビジョンＴＶ１に対して、ユーザにより選択されたコンテンツのコンテンツ関連情報及び再生処理指示を送信する（ステップＳ５３）。
【０１０３】
テレビジョンＴＶ１は、これを受信し、コンテンツ関連情報に含まれるアドレス情報を参照して、ユーザにより選択されたコンテンツの取得要求をサーバ装置ＳＶ１に発行する（ステップＳ５４ａ）これに応じて、サーバ装置ＳＶ１は、取得要求されたコンテンツを、ダウンロード或いはストリーミングにより、テレビジョンＴＶ１に配信する（ステップＳ５４ｂ）。そして、テレビジョンＴＶ１は、取得したコンテンツの再生処理を開始する（ステップＳ５５）。
【０１０４】
なお、本例においては、情報端末ＭＢ１からテレビジョンＴＶ１に対して再生処理指示を発行するとしているが、テレビジョンＴＶ１のＵＩ或いはリモートコントローラによる直接操作やネットワーク上における他の装置から再生処理指示をテレビジョンＴＶ１に発行してもよい。
【０１０５】
前記ステップＳ５５における再生処理開始の後、コンテンツの再生中に、ユーザにより再生機器をテレビジョンＴＶ１からパーソナルコンピュータＰＣ１に切り替える操作が行われた（ステップＳ５６）場合には、情報端末ＭＢ１は以下の処理を実行する。
【０１０６】
まず、情報端末ＭＢ１は、近距離無線通信装置１０２により、テレビジョンＴＶ１に対してコンテンツの再生処理の一時停止指示を発行する（ステップＳ５７）。これを受信したテレビジョンＴＶ１は、コンテンツの再生処理を一時停止させる（ステップＳ５８）。
【０１０７】
続いて、情報端末ＭＢ１は、前記一時停止時点における停止位置を示す再生位置情報の取得要求をテレビジョンＴＶ１に発行する（ステップＳ５９ａ）。これに応じて、テレビジョンＴＶ１は、再生位置情報を情報端末ＭＢ１に送信する（ステップＳ５９ｂ）。
【０１０８】
具体的には、再生位置情報としては、例えば再生開始時点から停止時点までに経過した時間や、コンテンツファイルの先頭から停止位置までのデータサイズなどを挙げることができる。
【０１０９】
なお、コンテンツの再生を一時停止させずとも、再生を継続しつつ或るポイントでの再生位置情報を取得するとしても勿論よい。
【０１１０】
そして、情報端末装置ＭＢ１は、コンテンツ情報制御部１１３により、再生位置情報をコンテンツ関連情報における一つのデータとしてコンテンツ情報記憶装置１１４に登録する（ステップＳ６０）。
【０１１１】
具体的には、再生位置情報を、当該コンテンツのチャプタ情報の一つとして追加登録したり、唯一に定まるレジューム位置として追加登録するなどの方法を挙げることができる。
【０１１２】
なお、情報端末ＭＢ１は、コンテンツ情報制御部１１３により、再生処理を中断した旨を明示するようにコンテンツ関連情報を編集しても勿論よい（ステップＳ６１）。例えば、コンテンツ関連情報にタイトル情報が含まれている場合には、タイトル情報を“オリジナルタイトル（中断）”などのように変更したり、コンテンツ関連情報に作成日情報が含まれている場合には、作成日情報を中断した日時に変更するなどの編集処理を挙げることができる。
【０１１３】
そして、情報端末ＭＢ１は、コンテンツ情報制御部１１３により編集されたコンテンツ関連情報をコンテンツ情報記憶装置１１４に登録する（ステップＳ６２）。さらに情報端末ＭＢ１は、このステップＳ６２において登録したコンテンツ関連情報と対応付けて、当該コンテンツが保存されているコンテンツサーバを識別するためのコンテンツサーバ識別情報（例えばＵＰｎＰで規定されたＵＤＮ（Ｕｎｉｑｕｅｄ  Ｄｅｖｉｃｅ  Ｎａｍｅ）など）の取得要求をサーバ装置ＳＶ１に発行する（ステップＳ６３ａ）。
【０１１４】
これに応じて、サーバ装置ＳＶ１は、例えばＵＤＮなどのコンテンツサーバ識別情報を情報端末ＭＢ１に送信し（ステップＳ６３ｂ）、情報端末ＭＢ１は当該コンテンツサーバ識別情報をコンテンツ情報記憶装置１１４に登録する（ステップＳ６４）。
【０１１５】
さらに、情報端末ＭＢ１は、近距離無線通信制御部１０７により、現在接続中のゲートウェイＧＷ１に対して、外部ネットワーク（本例においてはインターネットＩＮ）からローカルエリアネットワーク（本例においてはホームネットワークＨＮ１）上の端末に接続するためのグローバルアドレス及びＮＡＴ（Ｎｅｔｗｏｒｋ  Ａｃｃｅｓｓ  Ｔｒａｎｓｌａｔｉｏｎ）に関する設定情報の取得要求をゲートウェイＧＷ１に発行する（ステップＳ６５ａ）。これに応じて、ゲートウェイＧＷ１は、グローバルアドレス及びＮＡＴに関する設定情報を情報端末ＭＢ１に送信する（ステップＳ６５ｂ）。
【０１１６】
そして、情報端末ＭＢ１は、前記ステップＳ６５ｂにおいて取得した設定情報の中にコンテンツサーバ（本例においてはサーバ装置ＳＶ１）のＩＰアドレスへの外部接続の転送設定（ポートマッピング情報）が登録されているか否かを検索し、該転送設定が登録されていない場合にはサーバ装置ＳＶ１への転送設定を新たに行うようゲートウェイＧＷ１に対して要求し、新たに設定した転送設定及びゲートウェイＧＷ１のグローバルアドレスをコンテンツ情報記憶装置１１４に登録する（ステップＳ６６）。
【０１１７】
なお、この転送設定に用いる手段としては、例えばＵＰｎＰ（Ｕｎｉｖｅｒｓａｌ  Ｐｌｕｇ  ａｎｄ  Ｐｌａｙ）で規定されたＮＡＴ  Ｔｒａｖｅｒｓａｌ技術を挙げることができる。
【０１１８】
そして、情報端末ＭＢ１は、コンテンツ情報記憶装置１１４に登録されているコンテンツ関連情報に含まれるアドレス情報としてのＵＲＬを、コンテンツ情報記憶装置１１４に登録されているグローバルアドレス及び転送ポートを用いて編集処理し、外部ネットワーク（本例においてはインターネットＩＮ）からコンテンツサーバ（本例においてはサーバ装置ＳＶ１）へ接続する為の新しいＵＲＬを作成し、編集処理前のＵＲＬ（以降、ローカルアクセス用ＵＲＬと称する）とは別途、外部アクセス用のＵＲＬ（以降、外部アクセス用ＵＲＬと称する）としてコンテンツ情報記憶装置１１４に登録する（ステップＳ６７）。
【０１１９】
その後、ユーザはＫＥＹ入力装置１０３を操作して、当該情報端末ＭＢ１とゲートウェイＧＷ１との接続を切断する（ステップＳ６８）。さらに、ユーザは情報端末ＭＢ１を所持したまま移動してゲートウェイＧＷ２に接続可能な領域に入った後、ＫＥＹ入力装置１０３を操作して、当該情報端末ＭＢ１とゲートウェイＧＷ２との接続を確立する（ステップＳ６９）。
【０１２０】
情報端末ＭＢ１は、ゲートウェイＧＷ２に接続されたことが近距離無線通信制御部１０７によって検出された場合、新たに参加したホームネットワーク（本例においてはホームネットワークＨＮ２）が、コンテンツ情報記憶装置１１４に登録されたコンテンツ関連情報に対応するコンテンツ（前記再生処理に係るコンテンツ）が存在するホームネットワークであるか否かを判定する。ここで、ホームネットワークＨＮ２上には、コンテンツ情報記憶装置１１４に登録されたコンテンツが存在しないと判定した場合には、情報端末ＭＢ１は、コンテンツ情報記憶装置１１４に登録された外部アクセス用ＵＲＬを、公開コンテンツＵＲＬとして選択する（ステップＳ７０）。
【０１２１】
なお、新たに参加したホームネットワークが、コンテンツ情報記憶装置１１４に登録されたコンテンツが存在するホームネットワークであるか否か（換言すれば、参加したホームネットワーク上に再生対象のコンテンツが存在するか否か）を判定する方法としては、例えば、近距離無線通信制御部１０７により取得したゲートウェイの情報を比較する方法や、新たに参加したホームネットワーク上のコンテンツサーバ識別情報をＤＬＮＡ制御部１１１により検索し、該コンテンツサーバ識別情報と、コンテンツ情報記憶装置１１４に登録されているコンテンツサーバ識別情報と、を比較する方法などを挙げることができる。
【０１２２】
その後、情報端末ＭＢ１は、ＤＭＳ制御部１１２によりＤＭＳ機能を起動し、ホームネットワークＨＮ２上の機器に対して、コンテンツ情報記憶装置１１４に登録された公開コンテンツＵＲＬ及び他のコンテンツ関連情報を公開する（ステップＳ７１）。
【０１２３】
これにより、ホームネットワークＨＮ１上のコンテンツサーバであるサーバ装置ＳＶ１に記憶されているコンテンツ及びそのコンテンツ関連情報を、ホームネットワークＨＮ２上のパーソナルコンピュータＰＣ２から取得することが可能となる。換言すれば、互いに独立した別個のホームネットワーク間で、他のホームネットワーク上のコンテンツサーバに記憶されているコンテンツ及びそのコンテンツ関連情報を容易に取得することが可能となる。
【０１２４】
つまり、ユーザが、或るホームネットワーク上の再生機器にてコンテンツを視聴している最中にその視聴を中断し、その後、他のホームネットワークの圏内へ移動した場合であっても、その移動先のホームネットワーク上の再生機器で、前記視聴を中断した時点から継続的にコンテンツを視聴再開することが可能となる。
【０１２５】
すなわち、まずユーザはパーソナルコンピュータＰＣ２のアプリケーションを用いて、情報端末ＭＢ１が公開しているコンテンツリストの取得要求を情報端末ＭＢ１に発行する（ステップＳ７２ａ）。これに応じて、情報端末ＭＢ１は、コンテンツリストをパーソナルコンピュータＰＣ２に送信する（ステップＳ７２ｂ）。
【０１２６】
ここで、ユーザは、コンテンツリストにリストアップされているコンテンツのうち、テレビジョンＴＶ１にて再生処理が中断されたコンテンツを選択する（ステップＳ７３）。そして、ユーザは、このステップＳ７３において選択したコンテンツについてのコンテンツ関連情報を参照して、当該コンテンツの取得要求をサーバ装置ＳＶ１へ発行する（ステップＳ７４ａ）。これに応じて、サーバ装置ＳＶ１は、取得要求に係るコンテンツを、ダウンロード或いはストリーミングなどによりパーソナルコンピュータＰＣ１に配信する（ステップＳ７４ｂ）。
【０１２７】
なお、コンテンツ関連情報に含まれるアドレス情報としては、上述した処理により実際のコンテンツサーバ（サーバ装置ＳＶ１）のＵＲＬが記述されている。
【０１２８】
前記ステップＳ７４ｂにおいてコンテンツを取得した後、ユーザは、コンテンツ関連情報に含まれる再生位置情報を参照して、当該コンテンツをテレビジョンＴＶ１での再生処理中断位置に頭出し（ステップＳ７５）、その位置から再生処理を開始する（ステップＳ７６）。
【０１２９】
なお、図5に示す例では、ホームネットワーク２上のパーソナルコンピュータＰＣ２によりコンテンツの再生処理の再開を実行しているが、コンテンツ情報記憶装置１１４に登録された情報を用いて、情報端末ＭＢ１自身がゲートウェイＧＷ２を介してゲートウェイＧＷ１及びサーバ装置１に接続してコンテンツを取得し再生処理するとしても勿論よい。
【０１３０】
《ローカルネットワーク外における再生機器の切り替え処理例（２）》
図６は、ホームネットワークＨＮ１上におけるサーバ装置ＳＶ１に保存されているコンテンツを、ユーザが、ホームネットワークＨＮ２及びインターネットＩＮを介してホームネットワークＨＮ１に接続された情報端末ＭＢ１で再生して視聴している最中に、再生機器テレビジョンＴＶ１での再生に切り替えて継続的に視聴を再開する為の処理のシーケンスチャートを示す図である。なお、図６に示すシーケンスチャートでは、説明の便宜上、情報端末ＭＢ１が既にゲートウェイＧＷ２に接続されている状態を前提として説明する。
【０１３１】
まず、ユーザは情報端末ＭＢ１を操作することで、ＤＬＮＡ制御部１１１によりＤＬＮＡで規定された手順に従い、コンテンツサーバ（サーバ装置ＳＶ１）が公開しているコンテンツリストの取得要求をサーバ装置ＳＶ１に発行する（ステップＳ８１ａ）。これに応じて、サーバ装置ＳＶ１は、コンテンツリストを情報端末ＭＢ１に送信する（ステップＳ８１ｂ）。
【０１３２】
なお、情報端末ＭＢ１は、前記ステップＳ８１ｂにおいて取得したコンテンツリスト（上述したようにコンテンツ関連情報を含む）をコンテンツ情報記憶装置１１４に登録する。
【０１３３】
続いて、ユーザは前記ステップＳ８１ｂにおいて取得したコンテンツリストにリストアップされているコンテンツの中から、視聴したい所望のコンテンツ（継続的再生処理対象のコンテンツ）を選択する（ステップＳ８２）。このとき、ユーザはネットワーク上における再生機器からコンテンツの再生処理に利用する再生機器（本例では当該情報端末ＭＢ１）も選択する。
【０１３４】
ここで、情報端末ＭＢ１は、ユーザにより選択されたコンテンツの実際のアドレス（ネットワーク上におけるコンテンツサーバであるサーバ装置ＳＶ１上のＵＲＬなど）を示すアドレス情報や、タイトル情報、作成日情報などのコンテンツ関連情報、および選択された再生機器（本例では当該情報端末ＭＢ１）についての情報をアプリケーション制御部１０６に記憶させる。
【０１３５】
そして、情報端末ＭＢ１は、ユーザにより選択されたコンテンツのアドレス情報を参照して、当該コンテンツの取得要求をサーバ装置ＳＶ１に発行する（ステップＳ８４ａ）これに応じて、サーバ装置ＳＶ１は、取得要求されたコンテンツを、ダウンロード或いはストリーミングにより当該情報端末ＭＢ１に配信する（ステップＳ８４ｂ）。
【０１３６】
そして、情報端末ＭＢ１は、ＤＭＰ制御部１１５及びコンテンツ再生制御部１１８により、前記取得したコンテンツを再生処理し、ディスプレイ１０４に映像、スピーカ１０５に音声を出力する（ステップＳ８５）。
【０１３７】
前記ステップＳ８５における再生処理開始の後、コンテンツの再生中に、ユーザにより再生機器を情報端末ＭＢ１からパーソナルコンピュータＰＣ１に切り替える操作が行われた（ステップＳ８６）場合には、情報端末ＭＢ１は以下の処理を実行する。
【０１３８】
まず、情報端末ＭＢ１は、アプリケーション制御部１０６及びコンテンツ再生制御部１１８により、コンテンツの現時点における再生位置を示す再生位置情報を生成する。具体的には、再生位置情報としては、例えば再生開始時点から経過した時間や、コンテンツファイルの先頭から再生位置までのデータサイズなどを挙げることができる。ここで、再生位置情報を取得する際には、コンテンツの再生を一時停止させる。
【０１３９】
しかしながら、コンテンツの再生を一時停止させずとも、再生を継続しつつ或るポイントでの再生位置情報を取得するとしても勿論よい。
【０１４０】
そして、情報端末装置ＭＢ１は、コンテンツ情報制御部１１３により、再生位置情報をコンテンツ関連情報に含まれる一つのデータとしてコンテンツ情報記憶装置１１４に登録する（ステップＳ８７）。具体的には、再生位置情報を、当該コンテンツのチャプタ情報の一つとして追加登録したり、唯一に定まるレジューム位置として追加登録するなどの方法を挙げることができる。
【０１４１】
なお、古い再生位置情報が既にコンテンツ情報記憶装置１１４に登録されている場合には、それを消去してもよいし、そのまま残しておいてもよい。
【０１４２】
そして、情報端末ＭＢ１は、ＤＭＳ制御部１１２によりホームネットワークに対するコンテンツサーバ機能を起動し、コンテンツ情報記憶装置１１４に登録されているコンテンツ関連情報をネットワークへ公開する（ステップＳ８８）。このコンテンツ関連情報に含まれるコンテンツのアドレス情報は、実際にそのコンテンツが存在している場所（ネットワーク上におけるサーバ装置ＳＶ１上のＵＲＬ）である。
【０１４３】
なお、既にコンテンツサーバ機能が起動され、実際にコンテンツ記憶装置１１７に保存されているコンテンツを公開している場合には、コンテンツが新たに追加された旨をネットワークに対して通知する。
【０１４４】
そして、情報端末ＭＢ１は、自動的またはユーザアクションにより、コンテンツ再生制御部１１８を介して当該情報端末ＭＢ１上でのコンテンツの再生処理を終了する（ステップＳ８９）。
【０１４５】
その後、ユーザはＫＥＹ入力装置１０３を操作して、当該情報端末ＭＢ１とゲートウェイＧＷ２との接続を切断する（ステップＳ９０）。さらに、ユーザは情報端末ＭＢ１を所持したまま移動してゲートウェイＧＷ２に接続可能な領域に入った後、ＫＥＹ入力装置１０３を操作して、当該情報端末ＭＢ１とゲートウェイＧＷ１との接続を確立する（ステップＳ９１）。
【０１４６】
そして、情報端末ＭＢ１は、新たに参加したホームネットワーク（本例においてはホームネットワークＨＮ１）が、コンテンツ情報記憶装置１１４に登録されたコンテンツ関連情報に対応するコンテンツ（前記再生処理に係るコンテンツ）が存在するホームネットワークであるか否かを判定する。
【０１４７】
ここで、ホームネットワークＨＮ１上に、コンテンツ情報記憶装置１１４に登録されたコンテンツが存在すると判定した場合には、情報端末ＭＢ１は、コンテンツ情報記憶装置１１４に登録された当該コンテンツのＵＲＬを公開コンテンツＵＲＬとして選択する。
【０１４８】
すなわち、情報端末ＭＢ１は、まずコンテンツ情報記憶装置１１４に登録されたコンテンツ関連情報と対応付けられたコンテンツが保存されているコンテンツサーバ識別情報（例えばＵＰｎＰで規定されたＵＤＮ（Ｕｎｉｑｕｅｄ  Ｄｅｖｉｃｅ  Ｎａｍｅ）など）の取得要求をサーバ装置ＳＶ１に発行する（ステップＳ９２ａ）。
【０１４９】
これに応じて、サーバ装置ＳＶ１は、例えばＵＤＮなどのコンテンツサーバ識別情報を情報端末ＭＢ１に送信する（ステップＳ９２ｂ）。情報端末ＭＢ１は、このコンテンツサーバ識別情報を受信し、当該受信に係るコンテンツサーバ識別情報と、コンテンツ情報記憶装置１１４に登録されているコンテンツサーバ識別情報（ステップＳ８６における切り替え操作時点のコンテンツサーバ識別情報）と、をＤＬＮＡ制御部１１１により比較し（ステップＳ９３）、コンテンツサーバ（本例ではサーバ装置ＳＶ１）のＩＰアドレスなどの情報に変更があるか否かを判断する（ステップＳ９４）。
【０１５０】
このステップＳ９４においてコンテンツサーバのＩＰアドレスなどの情報に変更があると判断した場合には（ステップＳ９４をＹＥＳに分岐する場合には）、情報端末ＭＢ１は、コンテンツ情報制御部１１３によりコンテンツ関連情報を編集処理により書き換え、更新したコンテンツ関連情報をコンテンツ情報記憶装置１１４に登録する（ステップＳ９５）。
【０１５１】
前記ステップＳ９４をＮＯに分岐した場合、又は、前記ステップＳ９５における処理を終えた後、情報端末ＭＢ１は、コンテンツ情報記憶装置１１４に登録されているコンテンツのＵＲＬを公開コンテンツＵＲＬとして選択する（ステップＳ９６）。
【０１５２】
その後、情報端末ＭＢ１は、ＤＭＳ制御部１１２によりネットワークに対するコンテンツサーバ機能を起動し、コンテンツ情報記憶装置１１４に登録されているコンテンツ関連情報をネットワークへ公開する（ステップＳ９７）。この登録に係るコンテンツ関連情報に含まれるコンテンツのアドレス情報は、実際にそのコンテンツが存在している場所（ネットワーク上におけるサーバ装置ＳＶ１上のＵＲＬ）である。
【０１５３】
なお、既にコンテンツサーバ機能が起動され、実際にコンテンツ記憶装置１１７に保存されているコンテンツを公開している場合には、コンテンツが新たに追加された旨をネットワークに対して通知する。
【０１５４】
ここで、ユーザは、パーソナルコンピュータＰＣ１のアプリケーションを用いて、情報端末ＭＢ１が公開しているコンテンツ関連情報の取得要求を情報端末ＭＢ１に発行する（ステップＳ９８ａ）。これに応じて、情報端末ＭＢ１は、コンテンツリスト（上述したようにコンテンツ関連情報を含む）をパーソナルコンピュータＰＣ１に送信する（ステップＳ９８ｂ）。
【０１５５】
続いて、ユーザは、コンテンツリストにリストアップされているコンテンツのうち、情報端末ＭＢ１にて再生処理が中断されたコンテンツを選択し（ステップＳ９９）、パーソナルコンピュータＰＣ１は、このステップＳ９７において選択されたコンテンツについてのコンテンツ関連情報を参照して、当該コンテンツの取得要求をサーバ装置ＳＶ１へ発行する（ステップＳ１００ａ）。これに応じて、サーバ装置ＳＶ１は、取得要求に係るコンテンツを、ダウンロード或いはストリーミングなどによりパーソナルコンピュータＰＣ１に配信する（ステップＳ１００ｂ）。
【０１５６】
なお、コンテンツ関連情報に含まれるアドレス情報としては、上述した処理により実際のコンテンツサーバ（サーバ装置ＳＶ１）のＵＲＬが記述されている。
【０１５７】
前記ステップＳ１００ｂにおいてコンテンツを取得した後、ユーザは、コンテンツ関連情報に含まれる再生位置情報を参照して、当該コンテンツを情報端末ＭＢ１での再生処理中断位置に頭出し（ステップＳ１０１）、その位置から再生処理を開始する（ステップＳ１０２）。
【０１５８】
以上説明したように、本一実施形態によれば、ＤＬＮＡで標準化された通信仕様のみを使用して、再生機器を切り替えてのコンテンツの継続的再生を容易に行うことが可能な情報端末を提供することができる。
【０１５９】
より詳細には、本一実施形態に係る情報端末によれば、例えば次のような効果を得ることができる。
【０１６０】
・情報端末で再生しているネットワーク上のコンテンツを、ＤＬＮＡのサーバ機能を用いて情報端末が保有しているコンテンツとして仮想的にネットワークへ公開することが可能となる。
【０１６１】
・ネットワーク上の再生機器で再生しているネットワーク上のコンテンツを、ＤＬＮＡのコントローラ機能を用いて取得し、ＤＬＮＡのサーバ機能を用いて自身が保有しているコンテンツとして仮想的にネットワークへ公開することが可能となる。
【０１６２】
・コンテンツサーバより取得したオリジナルのメタ情報（コンテンツ関連情報）に、中断位置を示す再生位置情報を追加してネットワークへ公開することが可能となる。
【０１６３】
・コンテンツ関連情報に含まれるコンテンツのＵＲＬを、当該コンテンツが存在するホームネットワークの外部からアクセスするためのＵＲＬへ変換することが可能となる。
【０１６４】
・接続されているゲートウェイの情報から判断し、ホームネットワークの中と外とでコンテンツのＵＲＬを自動的に切り替えて公開することが可能となる。
【０１６５】
・ホームネットワーク内にコンテンツサーバが存在するか否かを判断し、コンテンツサーバが存在するホームネットワークの中と外とで、コンテンツのＵＲＬを自動的に切り替えて公開することが可能となる。
【０１６６】
・再生処理を中断されたコンテンツのタイトルと、実際のコンテンツサーバが公開するコンテンツのタイトルと、の重複を防止でき、再生処理を中断されたコンテンツであることをユーザに対して明示することが可能となる。
【０１６７】
・コンテンツを視聴した日時に基づいてコンテンツを検索できるようになり、また、コンテンツを作成日順で並び替えた際に、再生処理を中断されたコンテンツを比較的先頭付近に表示させることが可能となる。
【０１６８】
以上、一実施形態に基づいて本発明を説明したが、本発明は上述した実施形態に限定されるものではなく、本発明の要旨の範囲内で、種々の変形及び応用が可能なことは勿論である。
【０１６９】
さらに、上述した実施形態には種々の段階の発明が含まれており、開示した複数の構成要件の適当な組み合わせにより種々の発明が抽出され得る。例えば、実施形態に示す全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【符号の説明】
【０１７０】
ＭＢ１…情報端末、  ＨＮ１，ＨＮ２…ホームネットワーク、  ＧＷ１，ＧＷ２…ゲートウェイ、  ＴＶ１…テレビジョン、  ＰＣ１，ＰＣ２…パーソナルコンピュータ、  ＳＶ１…サーバ装置、  １０１…メイン制御部、  １０２…近距離無線通信装置、  １０３…ＫＥＹ入力装置、  １０４…ディスプレイ、  １０５…スピーカ、  １０６…アプリケーション制御部、  １０７…近距離無線通信制御部、  １０８…情報取得部、  １０９…情報記憶装置、  １１０…ポートマッピング制御部、  １１１…ＤＬＮＡ制御部、  １１２…ＤＭＳ制御部、  １１３…コンテンツ情報制御部、  １１４…コンテンツ情報記憶装置、  １１５…ＤＭＰ制御部、  １１６…ＤＭＣ制御部、  １１７…コンテンツ記憶装置、  １１８…コンテンツ再生制御部。
【図１】
0005453963.tif 000002
【図２】
0005453963.tif 000003
【図３】
0005453963.tif 000004
【図４】
0005453963.tif 000005
【図５】
0005453963.tif 000006
【図６】
0005453963.tif 000007